(57)【要約】【課題】  噴霧ノズルから噴出する液滴を帯電させる静電機能を備えていない噴霧装置に対し、簡単かつ低コストに静電噴霧機能を付加することができるようにする。【解決手段】  本発明の静電噴霧用電極部１は、液体を無数の液滴Ｄにして噴出する噴霧ノズル１２を有する噴霧装置１０に取り付けられ、該噴霧装置１０に該液滴Ｄを帯電させる静電機能を付加する静電噴霧用電極部１であって、基端側が噴霧装置１０に取り付けられ、電気絶縁性を有する電極支持部２と、電極支持部２の先端側に支持され、液滴Ｄを帯電させるための環状電極３とを備え、前記液体及び環状電極３の間に印加される高電圧により液滴Ｄを帯電させるように構成されている。電極支持部２における環状電極３から噴霧装置１０までの途中部５には、環状電極３の電位が該電極支持部２を伝って漏電することを防止する漏電防止部４が設けられている。【選択図】      図１
2006015293.tif 000002
【特許請求の範囲】
【請求項１】
液体を無数の液滴にして噴出する噴霧ノズルを有する噴霧装置に取り付けられ、該噴霧装置に該液滴を帯電させる静電機能を付加する静電噴霧用電極部であって、
基端側が前記噴霧装置に取り付けられ、電気絶縁性を有する電極支持部と、
前記電極支持部の先端側に支持され、前記液滴を帯電させるための電極と
を備え、
前記液体及び前記電極の間に印加される高電圧により前記液滴を帯電させるように構成された静電噴霧用電極部。
【請求項２】
前記電極支持部における前記電極から前記噴霧装置までの途中部には、前記電極の電位が該電極支持部を伝って漏電することを防止する漏電防止部が設けられた請求項１記載の静電噴霧用電極部。
【請求項３】
前記漏電防止部は、前記電極支持部の前記途中部の全周に渡る環状凹部を備えた請求項２記載の静電噴霧用電極部。
【請求項４】
前記漏電防止部は、前記環状凹部の奥行きが前記途中部の延設方向へ延びている請求項３記載の静電噴霧用電極部。
【請求項５】
前記漏電防止部は、前記環状凹部の開口部が前記途中部の延設方向へ開口しているとともに、該開口部に対峙して該開口部の開口を狭める鍔部を備えた請求項３又は４記載の静電噴霧用電極部。
【請求項６】
前記電極支持部は、前記電極を片持ち支持するように構成された請求項１〜５のいずれか一項に記載の静電噴霧用電極部。
【請求項７】
前記電極支持部は、前記噴霧装置に着脱可能に取り付けられた請求項１〜６のいずれか一項に記載の静電噴霧用電極部。
【発明の詳細な説明】
【技術分野】
【０００１】
本発明は、噴霧装置の噴霧ノズルから噴出される液滴を帯電させるための静電噴霧用電極部に関するものである。
【背景技術】
【０００２】
従来の静電噴霧装置として、特許文献１に開示された静電式薬液散布装置を例示する。この装置は作業者の背中に背負われる背負動力噴霧機を利用したものであり、図５に示すように、導電性の薬液を帯電させるため電極８２を噴頭８１に備えるとともに、該電極に高電圧を印加するための高電圧発生部８３を備えている。
【０００３】
【特許文献１】実公平６−４１６４１号公報
【発明の開示】
【発明が解決しようとする課題】
【０００４】
ところが、従来の静電噴霧装置は、特に、噴頭８１及び電極８２が特有の構造となっており、この特有の構造を備えた両者の組合せで静電機能を発揮するように構成されている。このため、仮に、従来の静電噴霧装置における静電機能のための構造を、静電機能を備えていない既存の噴霧装置に対して利用しようとすると、少なくとも該既存の噴霧装置の噴霧ノズル部全体を噴頭８１及び電極８２に置き換える必要があり、コストが掛かるという課題がある。
【０００５】
また、作物に効率よく付着させるため、薬液は浸透性及び展着性を備えるように作成されているので、薬液の噴霧は噴頭８１の電極８２はもちろんながら、送風パイプ８４や薬液用ホース８５の表面にもよく付着し、蓄積される。また、電極８２はプラスに、噴霧はマイナスに誘導帯電するため、マイナス帯電の噴霧はプラスの電極８２に引きつけられて付着し、蓄積される。特に長時間にわたって連続噴霧をしていると、噴頭８１から送風パイプ８４や薬液用ホース８５へと薬液の連続膜が形成されて行く。前述したように薬液は導電性を備えているので、この連続膜を介して電極８２の高電圧が背負動力噴霧機側（作業者側）へ伝わることになる。このため、例えば、この連続膜に作業者の手が触れたり、この連続膜が静電噴霧装置のアースされた部位に達したりすれば漏電が発生し、高電圧発生部８３に過大な電流が流れ、十分な静電効果が得られないという課題がある。
【課題を解決するための手段】
【０００６】
上記課題を解決するために、本発明の静電噴霧用電極部は、
液体を無数の液滴にして噴出する噴霧ノズルを有する噴霧装置に取り付けられ、該噴霧装置に該液滴を帯電させる静電機能を付加する静電噴霧用電極部であって、
基端側が前記噴霧装置に取り付けられ、電気絶縁性を有する電極支持部と、
前記電極支持部の先端側に支持され、前記液滴を帯電させるための電極と
を備え、
前記液体及び前記電極の間に印加される高電圧により前記液滴を帯電させるように構成されている。
【０００７】
この構成によれば、前記電極支持部の基端側を前記噴霧装置に取り付けて、前記噴霧ノズルと前記液体の間に高電圧を印加することにより、前記噴霧装置に簡単に前記静電機能を付加することができる。しかも、本発明の静電噴霧用電極部は、簡単な構造であるため、低コストに実現することができる。
【０００８】
前記電極支持部における前記電極から前記噴霧装置までの途中部には、前記電極の電位が該電極支持部を伝って漏電することを防止する漏電防止部が設けられている態様を例示する。
【０００９】
この構成によれば、前記電極支持部には、前記漏電防止部が設けられているので、前記噴霧ノズルと前記液体の間に高電圧を確実に印加することができ、静電機能を安定的に発揮させることができる。
【００１０】
前記漏電防止部は、前記電極支持部の前記途中部の全周に渡る環状凹部を備えている態様を例示する。
【００１１】
この構成によれば、前記漏電防止部の前記環状凹部の内側には、前記液滴が入り込み難いので、前記電極支持部への前記液滴の付着による連続膜を前記環状凹部で途切れさせるようにすることができる。これにより、導電性を有する前記液滴を通じて前記電極の高電位が前記噴霧装置側に伝わることを防止することができる。
【００１２】
前記漏電防止部は、前記環状凹部の奥行きが前記途中部の延設方向へ延びている態様を例示する。
【００１３】
この構成によれば、前記漏電防止部の大型化を抑制しつつ、前記環状凹部の奥行きを広く確保することができ、該環状凹部の奥側に前記液滴が、より付着し難くなる。このため、前記電極支持部への前記液滴の連続膜を前記環状凹部でより確実に途切れさせることができる。
【００１４】
前記漏電防止部は、前記環状凹部の開口部が前記途中部の延設方向へ開口しているとともに、該開口部に対峙して該開口部の開口を狭める鍔部を備えた態様を例示する。
【００１５】
この構成によれば、前記電極や前記電極支持部に付着した前記液滴が溜まって前記漏電防止部側に流れたときに、前記環状凹部内へ流れ込むことを防止することができ、また、前記環状凹部内へ浮遊している前記液滴が入り込むことを防止することができる。
【００１６】
前記電極支持部は、前記電極を片持ち支持するように構成された態様を例示する。
【００１７】
この構成によれば、単純な構造であるため、低コストに実現できる。
【００１８】
前記電極支持部は、前記噴霧装置に着脱可能に取り付けられた態様を例示する。
【００１９】
この構成によれば、必要に応じて前記噴霧装置に適宜着脱することができる。
【発明の効果】
【００２０】
本発明に係る静電噴霧用電極部によれば、噴霧ノズルから噴出する液滴を帯電させる静電機能を備えていない噴霧装置に対し、簡単かつ低コストに静電噴霧機能を付加することができるという優れた効果を奏する。
【発明を実施するための最良の形態】
【００２１】
図１〜図３は本発明を具体化した第一実施形態の静電噴霧用電極部１を装着した噴霧装置１０を示している。
【００２２】
噴霧装置１０は、図示しないポンプにより加圧された薬液を送る噴管１１と、該噴管１１の先端に装着され、薬液の液滴Ｄからなる噴霧Ｓを噴出する噴霧ノズル１２とを含んでいる。噴霧ノズル１２は、本例では導電性材料で形成されているが、これに限定されず、プラスチックやセラミックで形成されたものも適宜採用できる。
【００２３】
静電噴霧用電極部１は、噴霧装置１０に該液滴Ｄを帯電させる静電機能を付加するためのものであり、基端側が噴霧装置１０の噴管１１に取り付けられ、電気絶縁性を有する電極支持部２と、該電極支持部２の先端側に支持され、液滴Ｄを帯電させるための電極としての環状電極３とを備えている。そして、電極支持部２における環状電極３から噴管１１までの途中部５には、環状電極３の電位が該電極支持部２を伝って漏電することを防止する漏電防止部４が設けられている。この静電噴霧用電極部１は、薬液と環状電極３の間に印加される高電圧により液滴Ｄを帯電させるように構成されている。薬液と環状電極３の間に高電圧を印加する方法としては、特に限定されないが、薬液に接する導電性部位（噴霧ノズル１２や、導電性材料で形成された薬液供給管、薬液タンク等）や薬液中に浸けられた電極等と、環状電極３との間に高電圧を印加することを例示する。
【００２４】
電極支持部２の先端側は、環状電極３の内周縁部が噴霧ノズル１２から噴出される液滴Ｄの拡散範囲の外側に近接するようにして、該環状電極３を片持ち支持するように構成されている。また、電極支持部２の基端側は、噴霧装置１０の噴管１１に着脱可能に取り付けられている。本例では、電極支持部２の基端側には、電極支持部本体２ａに可撓性を有する取付ベルト２ｂの一端側が取り付けられている。そして、取付ベルト２ｂを噴管１１に弛み無く巻き掛けて、固定手段としてのネジ２ｃで電極支持部本体２ａに固定することにより、噴管１１に着脱可能に取り付けるように構成されている。
【００２５】
環状電極３は、導電性材料による円環形の板材からなっている。この環状電極３の反噴霧ノズル側の面及び外周縁部は、電気絶縁性を有するカバー３ａにより覆われている。
【００２６】
漏電防止部４は、電極支持部２の途中部５の外周に装着された円環部６と、該円環部６の外周縁部に一体形成されて途中部５の延設方向両側へ延びる筒部７と、筒部７の各開口部７ａに対峙して該各開口部７ａの開口を狭めるように途中部５の外周にそれぞれ装着された一対の鍔部８を備えている。この鍔部８は、途中部５の外周全体にわたって径方向へ突出したフランジ状に形成されてなっている。また、円環部６及び鍔部８は、それぞれ途中部５の外周に対し、薬液が通過しないよう密着した状態で装着されている。このように、電極支持部２の途中部５と筒部７との間には、該途中部５の外周の全周にわたる環状凹部９，９が形成されている。この該環状凹部９，９は、それぞれの開口部７ａ，７ａが途中部５の延設方向へ開口するとともに、その奥行きが途中部５の延設方向へ延びている。
【００２７】
また、漏電防止部４は、例えば、以下のように変更することもできる。
【００２８】
（１）図３（ａ）に示すように、電極支持部２の途中部５の外周に装着された円環部２０と、該円環部２０の外周縁部に一体形成されて途中部５の延設方向の一方側（本例では、噴管１１側）へ延びる筒部２１と、筒部２１の開口部２１ａに対峙して該開口部２１ａの開口を狭めるように途中部５の外周に装着された鍔部８を備えているように漏電防止部４を構成すること。この構成例においても、電極支持部２の途中部５と筒部２１との間には、該途中部５の外周の全周にわたる環状凹部９が形成されている。この該環状凹部９は、開口部２１ａが途中部５の延設方向へ開口するとともに、その奥行きが途中部５の延設方向へ延びている。なお、鍔部８における筒部２１の開口部２１ａへの対峙面には、例えば図３（ａ）に二点鎖線で示すように、筒部２１の内周面に対峙する外周面を有する環状凸部２２を設けることにより、筒部内側へ液滴Ｄがさらに入りにくくすることもできる。
【００２９】
（２）図３（ｂ）に示すように、途中部５の延設方向に列設された複数（本例では、３つ）の鍔部８を備えているように漏電防止部４を構成すること。この構成においても、隣接する鍔部８の間には環状凹部９が形成される。また、鍔部８を１つ備えているように漏電防止部４を構成してもよいが、この構成では環状凹部９が形成されない。
【００３０】
このような構成で噴霧ノズル１２から噴出する液滴Ｄは誘導帯電されることになる。本例では、薬液に対して環状電極３に直流正電圧を印加し、噴霧ノズル１２先端において液滴Ｄをマイナスに誘導帯電させるように構成されている。
【００３１】
以上のように構成された本例の静電噴霧用電極部１によれば、電極支持部２の基端側を噴霧装置１０に取り付けて、薬液と環状電極３の間に高電圧を印加することにより、噴霧装置１０に簡単に前記静電機能を付加することができる。しかも、本発明の静電噴霧用電極部１は、簡単な構成からなっているので、低コストに実現することができる。
【００３２】
また、電極支持部２には漏電防止部４が設けられているので、薬液と環状電極３の間に高電圧を確実に印加することができ、静電機能を安定的に発揮させることができる。
【００３３】
また、漏電防止部４は、電極支持部２の途中部５の全周に渡る環状凹部９を備えている。このため、漏電防止部４の環状凹部９の内側には、液滴Ｄが入り込み難いので、電極支持部２への液滴Ｄの付着による連続膜Ｍを環状凹部９で途切れさせるようにすることができる。これにより、導電性を有する液滴Ｄを通じて環状電極３の高電位が噴霧装置１０側に伝わることを防止することができる。
【００３４】
また、前記（２）以外の構成例のように、漏電防止部４は、環状凹部９の奥行きが途中部５の延設方向へ延びているように構成すると、漏電防止部４の大型化を抑制しつつ、環状凹部９の奥行きを広く確保することができ、該環状凹部９の奥側に液滴Ｄが、より付着し難くなる。このため、電極支持部２への液滴Ｄの連続膜Ｍを環状凹部９でより確実に途切れさせることができる。
【００３５】
また、前記（２）以外の構成例のように、漏電防止部４は、環状凹部９の開口部が途中部５の延設方向へ開口しているとともに、該開口部に対峙して該開口部の開口を狭める鍔部８を備えているように構成すると、環状電極３や電極支持部２に付着した液滴Ｄが溜まって漏電防止部４側に流れたときに、環状凹部９内へ流れ込むことを防止することができ、また、環状凹部９内へ浮遊している液滴Ｄが入り込むことを防止することができる。
【００３６】
また、電極支持部２は、環状電極３を片持ち支持するように構成されており、単純な構造であるため、低コストに実現できる。
【００３７】
また、電極支持部２は、噴霧装置１０に着脱可能に取り付けられているので、必要に応じて噴霧装置１０に適宜着脱することができる。
【００３８】
次に、図４は本発明を具体化した第二実施形態を示している。この静電噴霧用電極部３０は、電極支持部３１の基端側が噴霧装置１０における噴管１１以外の部位３５に固定手段としてのネジ３２で着脱可能に取り付けられるように構成されている点において、主に第一実施形態と相違している。従って、同実施形態と共通する部分については、同一符号を付することにより重複説明を省く。本例の静電噴霧用電極部３０によっても、第一実施形態と同様の効果を得ることができる。
【００３９】
なお、本発明は前記実施形態に限定されるものではなく、例えば以下のように、発明の趣旨から逸脱しない範囲で適宜変更して具体化することもできる。
（１）本発明を他の構造の噴霧装置に対して適用可能に構成すること。例えば、本例のように先端部がＬ字状に形成された噴管１１ではなく、直線状に延びる噴管１１に対して取付可能に電極支持部２を構成すること。
（２）電極支持部２による環状電極３の支持構造を片持ち支持以外の構造に適宜変更すること。
【図面の簡単な説明】
【００４０】
【図１】本発明を具体化した第一実施形態に係る静電噴霧用電極部を装着した噴霧装置の側断面図である。
【図２】図１のＩＩ矢視図である。
【図３】同静電噴霧用電極部における漏電防止部の変更例の側断面図であり、（ａ）は第一の変更例、（ｂ）は第二の変更例をそれぞれ示す図である。
【図４】本発明を具体化した第二実施形態に係る静電噴霧装置の側断面図である。
【図５】従来の静電噴霧装置の側断面図である。
【符号の説明】
【００４１】
１    静電噴霧用電極部
２    電極支持部
３    環状電極
４    漏電防止部
５    途中部
６    円環部
７    筒部
７ａ  開口部
８    鍔部
９    環状凹部
１０    噴霧装置
１１    噴管
１２    噴霧ノズル
２０    円環部
２１    筒部
２１ａ  開口部
２２    環状凸部
３０    静電噴霧用電極部
３１    電極支持部
Ｄ    液滴
Ｍ    連続膜
Ｓ    噴霧
【図１】
2006015293.tif 000003
【図２】
2006015293.tif 000004
【図３】
2006015293.tif 000005
【図４】
2006015293.tif 000006
【図５】
2006015293.tif 000007